(57)【要約】【課題】  録画された番組中にユーザーが本来見たい番組に不必要な部分が挿入された場合、この部分を容易に除去する。【解決手段】  放送番組に含まれる少なくとも画像情報を入力し、少なくともチャンネル情報、録画開始情報、録画終了情報を含む録画予約情報を取得し、録画予約情報に従って放送番組を入力し、この放送番組に含まれる少なくとも画像情報を記録媒体に記録し、通信手段により外部機器に接続し、外部機器から放送番組の一部を除去するための除去開始情報と除去終了情報を含む除去情報を取得する。除去情報に従って記録媒体に記録されている放送番組に含まれる少なくとも画像情報の一部を除去する。【選択図】  図１
2005191614.tif 000002
【特許請求の範囲】
【請求項１】
放送番組に含まれる少なくとも画像情報が入力される画像情報入力手段と、
画像情報を記録するための記録媒体が内蔵された記録手段と、
少なくともチャンネル情報、録画開始情報、録画終了情報を含む録画予約情報を取得する録画予約情報取得手段と、
前記録画予約情報に従って放送番組を入力し、この放送番組に含まれる少なくとも画像情報を前記記録媒体に記録するように、前記入力手段及び前記記録手段を制御する録画制御手段と、
前記記録媒体に記録された画像情報から少なくとも一部を除去する編集手段と、
外部機器と通信するための通信手段と、
前記通信手段により前記外部機器と接続し、前記外部機器から前記放送番組の一部を除去するための除去開始情報と除去終了情報を含む除去情報を取得する除去情報取得手段と、
前記除去情報取得手段により取得された前記除去情報に従って前記記録媒体に記録されている前記放送番組に含まれる少なくとも画像情報の一部を除去するように、前記編集手段を制御する編集制御手段とを具備することを特徴とする画像記録装置。
【請求項２】
放送番組に含まれる少なくとも画像情報が入力される画像情報入力手段と、
画像情報を記録するための記録媒体が内蔵された記録手段と、
少なくともチャンネル情報、録画開始情報、録画終了情報を含む録画予約情報を取得する録画予約情報取得手段と、
前記録画予約情報に従って放送番組を入力し、この放送番組に含まれる少なくとも画像情報を前記記録媒体に記録するように、前記入力手段及び前記記録手段を制御する録画制御手段と、
前記記録媒体に記録された画像情報から少なくとも一部を除去する編集手段と、
外部機器と通信するための通信手段と、
前記放送番組の一部を除去するための除去開始情報と除去終了情報を含む除去情報を入力する除去情報入力手段と、
前記通信手段により前記外部機器に接続し、前記外部機器に前記除去情報を出力する出力手段とを具備することを特徴とする画像記録装置。
【請求項３】
前記除去情報入力手段に入力された前記除去情報に従って前記記録媒体に記録されている前記放送番組に含まれる少なくとも画像情報の一部を除去するように、前記編集手段を制御する編集制御手段とを具備することを特徴とする請求項２記載の画像記録装置。
【請求項４】
前記除去情報には編集を行う対象の番組情報を含み、前記番組情報を参照して前記記録媒体に記録された放送番組から対象となる放送番組を検索する検索手段とを具備することを特徴とする請求項１乃至請求項３のいずれかに記載の画像記録装置。
【請求項５】
前記通信手段により外部機器と接続し、前記録画予約情報を取得することを特徴とする請求項１乃至請求項４のいずれかに記載の画像記録装置。
【請求項６】
放送番組に含まれる少なくとも画像情報を入力するステップと、
少なくともチャンネル情報、録画開始情報、録画終了情報を含む録画予約情報を取得するステップと、
前記録画予約情報に従って放送番組を入力し、この放送番組に含まれる少なくとも画像情報を記録媒体に記録するステップと、
通信手段により外部機器に接続し、前記外部機器から前記放送番組の一部を除去するための除去開始情報と除去終了情報を含む除去情報を取得するステップと、
前記除去情報に従って前記記録媒体に記録されている前記放送番組に含まれる少なくとも画像情報の一部を除去するステップとを具備することを特徴とする画像記録方法。
【請求項７】
放送番組に含まれる少なくとも画像情報を入力するステップと、
少なくともチャンネル情報、録画開始情報、録画終了情報を含む録画予約情報を取得するステップと、
前記録画予約情報に従って放送番組を入力し、この放送番組に含まれる少なくとも画像情報を記録媒体に記録するステップと、
前記記録媒体に記録された放送番組の一部を除去するための除去開始情報と除去終了情報を含む除去情報を入力するステップと、
通信手段により外部機器に接続し前記外部機器に前記除去情報を出力するステップとを具備することを特徴とする画像記録方法。
【発明の詳細な説明】
【技術分野】
【０００１】
本発明は、画像記録装置及び画像記録方法に関する。
【背景技術】
【０００２】
DVD-R、DVD-RW、DVD-RAM等の光ディスクやビデオテープに代表される装置に着脱可能な記録媒体が開発され、これら着脱可能な記録媒体に画像を記録するための画像記録再生装置が開発されている。また、これら着脱可能な記録媒体のほかに装置に内蔵されるハードディスクに画像を記録する画像記録装置が開発されている。
【０００３】
近年ハードディスクの記録密度が向上され、約数十時間分の放送番組を録画できることから、視聴或いは保存する目的にかかわらず放送番組を大量に記録し、保存したい番組についてのみ着脱可能な記録媒体に記録するといった使用方法が一般的になりつつある（特許文献１）。
【特許文献１】特開２０００−２９５５５４号公報
【発明の開示】
【発明が解決しようとする課題】
【０００４】
特許文献１に記載された画像記録装置では、ユーザーに代わって自動的に録画予約を行い、ユーザーが録画された番組を視聴したり着脱可能な記録媒体に記録したりといった使い方を可能としている。
【０００５】
しかしながら特許文献１に記載された画像記録装置では、録画された番組中に突発的に入る報道や野球中継の延長などによって放送時間が変更されユーザーが本来見たい番組に不必要な部分が挿入された場合、ユーザーはこの不必要な部分を除去するなど編集する作業を行う場合があった。
【０００６】
本発明は、この不必要な部分の除去を容易にした画像記録装置及び画像記録方法を提供することを目的とする。
【課題を解決するための手段】
【０００７】
上記目的を達成するために、本発明は、
放送番組に含まれる少なくとも画像情報が入力される画像情報入力手段と、
画像情報を記録するための記録媒体が内蔵された記録手段と、
少なくともチャンネル情報、録画開始情報、録画終了情報を含む録画予約情報を取得する録画予約情報取得手段と、
前記録画予約情報に従って放送番組を入力し、この放送番組に含まれる少なくとも画像情報を前記記録媒体に記録するように、前記入力手段及び前記記録手段を制御する録画制御手段と、
前記記録媒体に記録された画像情報から少なくとも一部を除去する編集手段と、
外部機器と通信するための通信手段と、
前記通信手段により前記外部機器と接続し、前記外部機器から前記放送番組の一部を除去するための除去開始情報と除去終了情報を含む除去情報を取得する除去情報取得手段と、
前記除去情報取得手段により取得された前記除去情報に従って前記記録媒体に記録されている前記放送番組に含まれる少なくとも画像情報の一部を除去するように、前記編集手段を制御する編集制御手段とを具備することを特徴とする画像記録装置を提供する。
【０００８】
また、本発明は、放送番組に含まれる少なくとも画像情報が入力される画像情報入力手段と、
画像情報を記録するための記録媒体が内蔵された記録手段と、
少なくともチャンネル情報、録画開始情報、録画終了情報を含む録画予約情報を取得する録画予約情報取得手段と、
前記録画予約情報に従って放送番組を入力し、この放送番組に含まれる少なくとも画像情報を前記記録媒体に記録するように、前記入力手段及び前記記録手段を制御する録画制御手段と、
前記記録媒体に記録された画像情報から少なくとも一部を除去する編集手段と、
外部機器と通信するための通信手段と、
前記放送番組の一部を除去するための除去開始情報と除去終了情報を含む除去情報を入力する除去情報入力手段と、
前記通信手段により前記外部機器に接続し、前記外部機器に前記除去情報を出力する出力手段とを具備することを特徴とする画像記録装置を提供する。
【０００９】
また、本発明は、放送番組に含まれる少なくとも画像情報を入力するステップと、
少なくともチャンネル情報、録画開始情報、録画終了情報を含む録画予約情報を取得するステップと、
前記録画予約情報に従って放送番組を入力し、この放送番組に含まれる少なくとも画像情報を記録媒体に記録するステップと、
通信手段により外部機器に接続し、前記外部機器から前記放送番組の一部を除去するための除去開始情報と除去終了情報を含む除去情報を取得するステップと、
前記除去情報に従って前記記録媒体に記録されている前記放送番組に含まれる少なくとも画像情報の一部を除去するステップとを具備することを特徴とする画像記録方法を提供する。
【００１０】
また、本発明は、放送番組に含まれる少なくとも画像情報を入力するステップと、
少なくともチャンネル情報、録画開始情報、録画終了情報を含む録画予約情報を取得するステップと、
前記録画予約情報に従って放送番組を入力し、この放送番組に含まれる少なくとも画像情報を記録媒体に記録するステップと、
前記記録媒体に記録された放送番組の一部を除去するための除去開始情報と除去終了情報を含む除去情報を入力するステップと、
通信手段により外部機器に接続し、前記外部機器に前記除去情報を出力するステップとを具備することを特徴とする画像記録方法を提供する。
【発明の効果】
【００１１】
通信手段を用いて編集情報を他の機器と共有することで、録画予約情報を使用して録画した番組に対して誰か一人でも付加価値の高い編集を行った場合には、その編集情報を利用して簡易な操作で録画した番組を編集することができる。
【００１２】
また、機器間の通信手段を用いて、録画予約情報を他の機器と共有することで、共有グループ内部における人気の高い番組を知り、かつ簡易な操作で当該番組の録画予約を行うことができる。
【発明を実施するための最良の形態】
【００１３】
以下、図面を参照しながら本実施例について説明する。
【００１４】
図１は、本発明の一実施の形態に係わる記録媒体に画像情報を記録する画像記録装置について説明するためのブロック図である。
【００１５】
図１に示すように、この画像記録装置は、DVD-RAM,R等の書換え可能な光ディスク１００に対して情報の書き込み及び読み取りを実行することができるディスクドライブ１０２と、装置に内蔵されたハードディスク１０１を駆動し、このハードディスク１０１に対して情報の書き込み及び読み取りを実行することができるコントローラ１０３と、記録側を構成するエンコーダ部１０４と再生側を構成するデコーダ部１０５と、録画予約情報、編集情報管理部１０６１を含む装置本体の動作を統括的に制御するマイクロコンピュータブロック１０６と、外部機器とデータ通信を行う通信部１０７を有している。これらがバスライン１１２を介して相互に接続されている。
【００１６】
ハードディスク１０１には、録画予約情報、編集情報を含む情報を書き込み及び読み取ることができる。
【００１７】
この画像記録装置はマイクロコンピュータブロック１０６の制御に基いて、エンコーダ部１０４に入力されたアナログ画像信号とアナログ音声信号をデジタル画像信号とデジタル音声信号にエンコードし、データプロセッサ１０８及びディスクドライブ１０２を介して光ディスク１００に記録したりコントローラ１０３を介してハードディスク１０１に記録することができる。
【００１８】
また、マイクロコンピュータブロック１０６の制御に基いて、ディスクドライブ１０２及びデータプロセッサ１０８を介して光ディスク１００に記録されたデジタル画像信号とデジタル音声信号を読み出し、デコーダ部１０５でアナログ画像信号とアナログ音声信号に変換し、外部に出力することができる。
【００１９】
また、マイクロコンピュータブロック１０６の制御に基づいて、コントローラ１０３及びデータプロセッサ１０８ハードディスク１０１に記録されたデジタル画像信号とデジタル音声信号を読み出し、デコーダ部１０５でアナログ画像信号とアナログ音声信号に変換し、外部に出力することができる。
【００２０】
さらにマイクロコンピュータブロック１０６の内部に形成された録画予約、編集情報管理部１０６１は録画予約に関わるチャンネル情報、録画開始情報、録画終了情報等の録画予約情報を作成し管理する機能を有する。チャンネル情報としてはチャンネル番号、録画開始情報や録画終了情報としてはその時刻やクロックを用いることができる。
【００２１】
さらにマイクロコンピュータブロック１０６の内部に形成された録画予約、編集情報管理部１０６１は、ハードディスク１０１或いは光ディスク１００に記録された画像情報から少なくとも一部を除去するための番組情報、除去開始情報、除去終了情報等の除去情報を作成し或いは管理する機能を有する。
【００２２】
この録画予約、編集情報管理部１０６１により作成或いは管理されている録画予約情報に基づいてマイクロコンピュータブロック１０６は、エンコーダ部１０４に所望の放送番組のアナログ画像信号及びアナログ音声信号がエンコーダ部１０４に入力し、エンコーダ部１０４にてデジタル画像信号とデジタル音声信号にエンコードし、データプロセッサ１０８及びディスクドライブ１０２を介して光ディスク１００に記録したりコントローラ１０３を介してハードディスク１０１に記録することができる。
【００２３】
また、録画予約、編集情報管理部１０６１により作成或いは管理されている除去情報に基づいてマイクロコンピュータブロック１０６は、ディスクドライブ１０２及びデータプロセッサ１０８を介して光ディスク１００に記録されたデジタル画像信号とデジタル音声信号を読み出しその一部を除去することができる。
【００２４】
また、録画予約、編集情報管理部１０６１により作成或いは管理されている除去情報に基づいてマイクロコンピュータブロック１０６は、コントローラ１０３及びデータプロセッサ１０８を介してハードディスク１０１に記録されたデジタル画像信号とデジタル音声信号を読み出しその一部を除去することができる。
【００２５】
また、マイクロコンピュータブロック１０６は、通信部１０７を制御して、外部機器に接続し、外部機器から録画予約情報や除去情報を取得して、録画予約、編集情報管理部１０６１にて管理させることができる。すなわちこの画像記録装置は、通信部１０７を介して多数の外部機器と録画予約情報、編集情報の送受信を行い、同外部機器群と録画予約情報、編集情報を共有することができる。
【００２６】
また、キー入力部１１１のキー１１１１を操作することで、ユーザーが好みにより録画予約情報や除去情報を含む編集情報を入力し、録画予約、編集情報管理部１０６１にて管理することができる。
【００２７】
次に、このような構造の画像記録装置（以下画像を再生することもできるので画像記録再生装置と記す）において、本発明が提案する画像情報に関する録画予約情報、編集情報の共有機能を以下に図面を用いて説明する。
【００２８】
先ず、録画予約の共有について説明する。
【００２９】
図２に示すように、画像記録再生装置をインターネットなどのネットワークに接続し、ユーザーの知り合いが所有する画像記録再生装置１・・・２０のＩＰアドレス等の情報を画像記録再生装置に登録する。画像記録再生装置は自機にＩＰアドレス等の情報が登録された全ての画像記録再生装置に接続可能であり、これらからネットワーク経由で録画予約情報を取得できる。
【００３０】
図３に、ネットワーク経由で取得した録画予約情報の統計をとり、ユーザーが録画予約する際に提示した画面を示す。
【００３１】
ユーザーは統計結果の一部として表示される番組をリモコン等で選択するだけで録画予約を行うことができる。また、録画予約した情報は自機に登録した全ての画像記録再生装置に通知される。これにより、ユーザーは知り合いと録画予約情報を手軽に共有し、録画予約に必要な録画開始時刻、終了時刻あるいはＧコード等の入力や、ＥＰＧ等を用いて番組を探す手間を省くことができる。
【００３２】
また、共有した録画予約情報に基づく統計結果をもとに人気の高い番組を知ることができる。さらに録画予約情報共有機能に統計結果の作成の際に各装置に対する重み付けを行う設定項目を付加することにより、特定の知り合いの録画予約情報を重視することができる。また、特定の装置の録画予約情報を自機に自動設定する設定項目を付加すれば、特定の装置と同一の録画予約動作を実行させることができる。
【００３３】
次に、編集情報の共有機能について説明する。
【００３４】
図４に示すように、画像記録再生装置をネットワークに接続し、ユーザーの知り合いが所有する画像記録再生装置１・・・２０のＩＰアドレス等の情報を画像記録再生装置に登録する。画像記録再生装置は自機にＩＰアドレス等の情報を登録された全ての画像記録再生装置１・・・２０に接続し、これらからネットワーク経由で放送番組から一部を除去する除去情報を含む編集情報を取得する。
【００３５】
編集情報は編集対象について、最低でも放送日、チャンネル、録画開始、終了時刻、編集関連情報として少なくとも一つの除去対象領域の開始位置と終了位置についての情報を持つものとする。
【００３６】
ユーザーの録画済み画像記録について、取得した編集情報の編集対象と一致するものがある場合には、ユーザーが録画済み画像記録を編集する際に取得した編集情報を提示する。
【００３７】
図５に示すように、編集情報について編集関連情報が異なる編集情報を複数取得していた場合には、編集情報が使用された回数や同編集情報を使用した画像記録再生装置に対する重み付けに従って順位づけて提示する。ユーザーが提示された編集情報を選択すると、画像記録再生装置は編集情報に基づき、自動的に録画済み画像記録を編集する。また、編集情報を使用したという情報を登録された全ての画像記録再生装置に通知する。ユーザーが取得した編集情報を使用せずに独自に録画済み画像記録について編集した場合には、画像記録再生装置はユーザーの編集過程から編集情報を作成し、登録された全ての画像記録再生装置に送信する。これにより、知り合いと編集情報を手軽に共有することが可能であり、ユーザーあるいはユーザーの知り合いの編集の手間を省くことができる。
【００３８】
以上、本発明の好ましい実施の形態について説明してきたが、本発明は上記実施形態に限定されることなく、種々選択して用いることが出来る。
【図面の簡単な説明】
【００３９】
【図１】本発明の一実施の形態について説明するための画像記録装置のブロック図である。
【図２】本発明の一実施の形態における画像記録装置をインターネットに接続した図である。
【図３】本発明の一実施の形態における画像記録装置により取得された録画予約情報を統計結果を示す図である。
【図４】本発明の一実施の形態における画像記録装置をインターネットに接続した図である。
【図５】本発明の一実施の形態における画像記録装置により取得された編集情報を統計結果を示す図である。
【符号の説明】
【００４０】
１００…光ディスク１００…ハードディスク、１０２…ディスクドライブ、１０３…コントローラ、１０４…エンコーダ部、１０５…でコーダ部、１０６…マイクロコンピュータブロック、１０６１…録画予約、編集情報管理部、１０７…通信部、１０８…データプロセッサ、１１１…キー入力部、１１１１…きー、１１２…バスライン
【図１】
2005191614.tif 000003
【図２】
2005191614.tif 000004
【図３】
2005191614.tif 000005
【図４】
2005191614.tif 000006
【図５】
2005191614.tif 000007